(57)【特許請求の範囲】
【請求項１】
ケーシング内にモータと該モータで駆動されるポンプとを収納した構成の水中モータポンプであって、
前記ケーシングを、吐出口を有する吐出しケーシングと、前記モータの固定子を有するモータケーシングと、軸封装置を有するポンプケーシングとの３個以上に分割し、
前記吐出しケーシングの端部外周部と前記ポンプケーシングの端部外周部とを前記モータケーシングの両端内周部に嵌挿することで、前記モータケーシングを間に挟んでその両端に前記吐出しケーシングと前記ポンプケーシングとを配置し、
前記吐出しケーシングと前記ポンプケーシングとをタイロットで結合したことを特徴とする水中モータポンプ。
【請求項２】
請求項１に記載の水中モータポンプにおいて、
前記タイロットを前記モータケーシングの外周に設けた円環状の突起で外周方向にオフセットしたことを特徴とする水中モータポンプ。
【発明の詳細な説明】
【０００１】
【発明の属する技術分野】
本発明は水中モータポンプに関し、特に軽量で、且つ複数に分割して搬送し、排水機場のない排水現場等で簡単に組み立てることが可能な水中モータポンプに関するものである。
【０００２】
【従来の技術】
排水機場設備のない地域において、大雨等による本川の増水による水位上昇によって支川から本川への自然排水ができなくなり、内水位が上昇して冠水の恐れが生じた場合、この場所に発電設備を架装した排水ポンプ車で水中モータポンプを搬入し、水面に浮かべたフロートで該水中モータポンプを水中に吊り下げ排水運転を行い、支川の水を本川に排水している。このような発電設備を架装した排水ポンプ車は国内各地に配置されている。
【０００３】
上記のような排水機場設備のない地域で内水を排水する場合、総排水量が多いため、水中モータポンプ１台あたりの排水量が多いことが要求されるが、排水現場の状況によっては水中モータポンプを設置するためのクレーン車が進入できない場合もある。この場合は２〜３人の人力で搬入できる程度軽量でしかも排水量の大きな水中モータポンプが要求される。
【０００４】
内水排水に使用される水中モータポンプは、フロートで水中に吊り下げ、吐出水をホースで河川に排水するので、通常ケーシングはポンプケーシング、モータケーシング、吐出しケーシングを含む３個以上に分割する構成となっている。そしてこれらの分割したケーシングの端部をフランジ構造として、該フランジどうしをボルトで結合している。しかしながら、このように分割したケーシングの端部をフランジ構造とし、ボルトで結合する構成にすると、該フランジ部の径が大きくその重量が水中モータポンプに占める割合も大きくなるので、水中モータポンプの全重量が重くなるという問題がある。
【０００５】
【発明が解決しようとする課題】
本発明は上述の点に鑑みてなされたもので、軽量で、且つ分割・組み立てが容易な水中モータポンプを提供することを目的とする。
【０００６】
【課題を解決するための手段】
上記課題を解決するため請求項１に記載の発明は、ケーシング内にモータと該モータで駆動されるポンプとを収納した構成の水中モータポンプであって、ケーシングを、吐出口を有する吐出しケーシングと、モータの固定子を有するモータケーシングと、軸封装置を有するポンプケーシングとの３個以上に分割し、吐出しケーシングの端部外周部とポンプケーシングの端部外周部とをモータケーシングの両端内周部に嵌挿することで、モータケーシングを間に挟んでその両端に吐出しケーシングとポンプケーシングとを配置し、吐出しケーシングとポンプケーシングとをタイロットで結合したことを特徴とする。
【０００７】
上記のように、モータケーシングを間に挟んで吐出しケーシングと吸込みケーシングとをタイロットで結合したことにより、モータケーシング両端に結合用のフランジを設ける必要がなく、水中モータポンプの全重量を軽減できる。
また、吐出しケーシングの端部外周部とポンプケーシングの端部外周部とがモータケーシング両端内周部に嵌挿される構成とすることにより、組立の際にモータケーシングと吐出しケーシングとポンプケーシングとが位置決め仮固定された状態になり、モータケーシングの両端に位置する吐出しケーシングとポンプケーシングとのタイロットによる結合が容易となる。
【０００８】
また、請求項２に記載の発明は、請求項１に記載の水中モータポンプにおいて、タイロットをモータケーシングの外周に設けた円環状の突起で外周方向にオフセットしたことを特徴とする。
【０００９】
上記のように吐出しケーシングとポンプケーシングをタイロットで結合した水中モータポンプを水中に投入するときや、排水作業が終わって引き上げる場合に護岸や流木その他の障害物に水中モータポンプが接触し、タイロットが変形するおそれがある。ここでは、上記のように、タイロットをモータケーシングの外周に設けた円環状の突起で外周方向にオフセットしたので、このような場合でもタイロットは円環状の突起により支持されるから、その変形が防止される。特にモータケーシングが長く、タイロットが長い場合にはタイロットの変形を防止するのに有効である。
【００１２】
【発明の実施の形態】
以下、本発明の実施の形態例を図面に基づいて説明する。図１は本発明に係る水中モータポンプの構成例を示す断面図である。本水中モータポンプはポンプ部１とモータ部２から構成されている。
【００１３】
３はポンプケーシング、４はモータケーシング、５は吸込みケーシング、６は吐出しケーシングであり、モータケーシング４はポンプケーシング３と吐出しケーシング６に挟まれタイロット７で一体的に結合されている。また、ポンプケーシング３には吸込みケーシング５がＯリング２０を介してボルト２１で固着されている。即ち、水中モータポンプのケーシングは、吐出しケーシング６と、モータケーシング４と、ポンプケーシング３と、吸込みケーシング５の４個に分割し、モータケーシング４を間に挟んで吐出しケーシング４とポンプケーシング３をタイロット７で結合している。
【００１４】
ポンプ部１は、ポンプケーシング３内に配置されたポンプ羽根車８を具備する。該ポンプ羽根車８は軸受１０にてポンプケーシング３に回転自在に支持されたポンプ回転軸９の先端にボルト２３で固着されている。また、１１は軸封装置で、該軸封装置１１はブラケット２２を介してボルト２４でポンプケーシング３に固定されている。モータ部２は、モータケーシング４内に嵌入固着されたモータ固定子１２と、該モータ固定子１２の中央貫通孔に配置されたモータ回転子１３を具備する。該モータ回転子１３は前記ポンプ回転軸９と一体的に構成されたモータ回転軸１４に固着されている。また、モータ回転軸１４は軸受１５で吐出しケーシング６内に回転自在に支持されている。
【００１５】
ポンプケーシング３のモータケーシング４側の端部外周面にはＯリング溝が形成され、該Ｏリング溝にＯリング１８が嵌め込まれている。また、吐出しケーシング６のモータケーシング４側の端部外周面にはＯリング溝が形成され、該Ｏリング溝にＯリング１９が嵌め込まれている。モータケーシング４の両端部内周面はそれぞれポンプケーシング３の端部外周及び吐出しケーシング６の端部外周に嵌め込まれている。即ち、モータケーシング４の両端部の漏洩防止部材であるＯリングを介してポンプケーシング３の端部外周及び吐出しケーシング６の端部外周に嵌め込まれている。なお、１６はモータ部２に駆動電力等を供給するケーブルである。
【００１６】
上記構成の水中モータポンプにおいて、モータ部２のモータを起動すると、ポンプ羽根車８が回転し、吸込みケーシング５の吸込口５ａから水を吸い込み、ポンプケーシング３の流路３ａ、モータケーシング４の流路４ａを通って、吐出しケーシング６の吐出口６ａと流れ、排水・揚水が行われる。
【００１７】
図２はモータケーシング４の両端に位置するポンプケーシング３と吐出しケーシングを結合するタイロット７の取り付け部の詳細例を示す図で、図２（ａ）は正面図、図２（ｂ）は（ａ）のＡ−Ａ矢視図、図２（ｃ）は（ａ）のＢ−Ｂ矢視図である。ポンプケーシング３のモータケーシング４側の端部にはタイロット取付鍔２５が設けられており、吐出しケーシング６のモータケーシング４側の端部にもタイロット取付鍔２６が設けられている。タイロット取付鍔２５にタイロット７の先端のネジ部を捩じ込むネジ孔が形成されており、タイロット取付鍔２６にはタイロット７を挿入するタイロット挿入孔が形成されている。
【００１８】
水中モータポンプの組立は、Ｏリング１８が嵌め込まれたポンプケーシング３の端部にモータケーシング４の一端部を嵌挿すると共に、Ｏリング１９が嵌め込まれた吐出しケーシング６の端部にモータケーシング４の他端部を嵌挿し、且つタイロット取付鍔２５のネジ孔とタイロット取付鍔２６のタイロット挿入孔が対向する。この状態でポンプケーシング３、モータケーシング４及び吐出しケーシング６は位置決め仮固定された状態になる。この状態で吐出しケーシング６のタイロット取付鍔２６のタイロット挿入孔にタイロット７を挿入し、その先端をポンプケーシング３のタイロット取付鍔２５のタイロットネジ孔に捩じ込み、ポンプケーシング３と吐出しケーシング６を結合している。
【００１９】
図３はモータケーシング４の両端に位置するポンプケーシング３と吐出しケーシング６の結合の詳細例を示す図である。仮想線（２点鎖線）で示したタイロット７は円環状の突起１７がない場合を示しており、該仮想線で示すタイロット７とモータケーシング４の外周に設けた円環状の突起１７との重なり分ｄだけタイロット７を外周方向にオフセットして（片寄らせて）取付けられている。
【００２０】
上記のようにタイロット７を外周方向にオフセットして取付けることにより、水中モータポンプを水中に投入するときや、排水作業が終って水中モータポンプを引き上げる場合に護岸や流木その他障害物に水中モータポンプが接触したときでもタイロット７を円環状の突起１７で支持することになり、タイロット７の変形を防止できる。特に水中モータポンプのモータ部２が長くなり、タイロット７が長い場合にタイロット７の変形を防止するのに有効となる。
【００２１】
上記のように、モータケーシング４を間に挟んで吐出しケーシング６とポンプケーシング３をタイロット７で結合したことにより、モータケーシング４の両端に結合用のフランジを設ける必要がなく、水中モータポンプの全重量を軽減できる。
【００２２】
また、モータケーシング４の両端に結合用のフランジを設けた場合は、組立に際してはモータケース両側のフランジとポンプケーシング及び吐出しケーシングのフランジをボルトナットで結合する困難な作業を必要とする。これに対して、ここではモータケーシング４の一端部にポンプケーシング３と吐出しケーシング６を嵌挿し、且つタイロット取付鍔２５のネジ孔とタイロット取付鍔２６のタイロット挿入孔を対向させることにより、ポンプケーシング３、モータケーシング４及び吐出しケーシング６は位置決め仮固定された状態になるから、タイロット７でポンプケーシング３と吐出しケーシング６を結合することが容易となる。即ち、水中モータポンプの組立及び分解が容易となる。
【００２３】
【発明の効果】
以上説明したように、各請求項に記載の発明によれば下記のような優れた効果が得られる。
【００２４】
請求項１に記載の発明によれば、モータケーシングを間に挟んで吐出しケーシングと吸込みケーシングとをタイロットで結合したことにより、モータケーシング両端に結合用のフランジを設ける必要がなく、水中モータポンプの全重量を軽減できる。
また、吐出しケーシングの端部外周部とポンプケーシングの端部外周部とはモータケーシング両端内周部に嵌挿される構成とすることにより、組立の際モータケーシング両端内周部に吐出しケーシングの端部外周部とポンプケーシングの端部外周部とを嵌挿することにより、これら吐出しケーシング、モータケーシング及びポンプケーシングは位置決め仮固定された状態になり、モータケーシングの両端に位置する吐出しケーシングとポンプケーシングとのタイロットによる結合が容易となる。即ち、水中モータポンプの組立・分解作業が容易になる。
【００２５】
請求項２に記載の発明によれば、タイロットをモータケーシングの外周に設けた円環状の突起で外周方向にオフセットすることにより、水中モータポンプを水中に投入するときや、排水作業が終わって引き上げる場合に護岸や流木その他の障害物に水中モータポンプが接触し、タイロットが変形するのを防止することができる。
【図面の簡単な説明】
【図１】本発明に係る水中モータポンプの構成例を示す断面図である。
【図２】本発明に係る水中モータポンプのポンプケーシングと吐出しケーシングのタイロットによる結合状態を示す図で、図２（ａ）は正面図、図２（ｂ）は（ａ）のＡ−Ａ矢視図、図２（ｃ）は（ａ）のＢ−Ｂ矢視図である。
【図３】本発明に係る水中モータポンプのポンプケーシングと吐出しケーシングのタイロットによる結合状態を示す図である。
【符号の説明】
１            ポンプ部
２            モータ部
３            ポンプケーシング
４            モータケーシング
５            吸込みケーシング
６            吐出しケーシング
７            タイロット
８            ポンプ羽根車
９            ポンプ回転軸
１０          軸受
１１          軸封装置
１２          モータ固定子
１３          モータ回転子
１４          モータ回転軸
１５          軸受
１６          ケーブル
１７          円環状の突起
１８          Ｏリング
１９          Ｏリング
２０          Ｏリング
２１          ボルト
２２          ブラケット
２３          ボルト
２４          ボルト
２５          タイロット取付鍔
２６          タイロット取付鍔
【図１】
0003958484.tif 000002
【図２】
0003958484.tif 000003
【図３】
0003958484.tif 000004